(57)【要約】      （修正有）【課題】使用するのに便利であり、センサによる泡の発生および押し出しを引き起こし、手が機械と接触することによって引き起こされる交差感染を効果的に回避する泡吐出装置を提供する。【解決手段】偏心ホイール及び可動コネクティングロッドを介して３−キャビティ部に結合された電気モータと、弁部分と、泡を発生させるための気液混合室とを備える気液混合ポンプ３２と、管３７を介して気液混合ポンプ３２と連通状態で接続された液体貯蔵ボトル３１であって、該管３７が逆止弁３８を有する、液体貯蔵ボトル３１と、気液混合ポンプ３２と連通状態で接続された泡ノズル３４と、泡ノズル３４の一方の側に配置され、制御回路基板３５とともに電源装置３６に電気的に接続されたセンサ３３と、を備える。【選択図】図１
0003224403.tif 000002
【実用新案登録請求の範囲】
【請求項１】
偏心ホイール及び可動コネクティングロッドを介して３−キャビティ部に結合された電気モータと、弁部分と、泡を発生させるための気液混合室とを備える気液混合ポンプと、
管を介して前記気液混合ポンプと連通状態で接続された液体貯蔵ボトルであって、該管が逆止弁を有する、液体貯蔵ボトルと、
前記気液混合ポンプと連通状態で接続された泡ノズルと、
前記泡ノズルの一方の側に配置され、制御回路基板とともに電源装置に電気的に接続されたセンサと、を備えた泡吐出装置。
【請求項２】
前記電気モータの回転軸が前記偏心ホイールに接続され、前記可動コネクティングロッドが前記偏心ホイール及び前記３−キャビティ部に固定的に接続されている、請求項１に記載の泡吐出装置。
【請求項３】
前記３−キャビティ部には少なくとも２つの空気室と、液体室とが設けられ、前記弁部には前記少なくとも２つの空気室及び前記液体室とそれぞれ協働する空気弁と液体弁とが設けられ、かつ前記弁部の中央部には前記気液混合室と協働する中間弁が設けられている、請求項２に記載の泡吐出装置。
【請求項４】
前記３−キャビティ部には前記可動コネクティングロッド内の対応する第１クランプ穴、第２クランプ穴、及び第３クランプ穴と係合するための第１クランプピン、第２クランプピン及び第３クランプピンが設けられている、請求項１記載の泡吐出装置。
【請求項５】
前記偏心ホイールには前記電気モータの回転軸と接続するための第１軸穴が設けられ、前記可動コネクティングロッドの中央部には固定軸が設けられ、かつ前記偏心ホイールには前記固定軸と接続するための第２軸穴が設けられている、請求項１に記載の泡吐出装置。
【請求項６】
前記気液混合ポンプが収容部を有し、該収容部の内部には前記空気弁及び前記液体弁にそれぞれ対応する空気導入室及び液体導入室が設けられている、請求項１に記載の泡吐出装置。
【請求項７】
前記収容部には前記空気導入室に対応する空気導入穴が設けられ、前記収容部には前記液体導入室に対応する液体流入流路が設けられている、請求項６に記載の泡吐出装置。
【請求項８】
前記泡ノズルと前記気液混合ポンプとの間に泡発生器が設けられ、該泡発生器が泡導出装置と泡導入装置とを備え、泡出口片が該泡導出装置と該泡導入装置との間に設けられ、該泡導出片には間隔をおいて均一に配置された泡導出穴が設けられ、前記泡ノズルが嵌合柱を備え、そして該嵌合柱が前記泡導出装置の内側に嵌合する、請求項１に記載の泡吐出装置。
【請求項９】
泡発生器に電気的に接続された検知装置であって、該泡発生器が、偏心ホイールに接続された回転軸を有する電気モータと、少なくとも２つの空気室と、液体室とを有する３−キャビティ部とを備える、検知装置と、
前記３−キャビティ部に接続され、かつ前記偏心ホイールに固定的に接続されている可動コネクティングロッドと、
気液混合室と、
前記３−キャビティ部の前記少なくとも２つの空気室及び前記液体室とそれぞれ協働する空気弁及び液体弁を有する弁部と、
前記気液混合室と協働する中間弁が設けられている中間部と、を備える泡発生ディスペンサー。
【請求項１０】
前記３−キャビティ部には前記可動コネクティングロッドと協働する第１クランプピン、第２クランプピン及び第３クランプピンが設けられ、前記可動コネクティングロッドには、該第１クランプピン、該第２クランプピン及び該第３クランプピンと係合するための第１クランプ穴、第２クランプ穴、及び第３クランプ穴が設けられている、請求項９に記載の泡発生ディスペンサー。
【請求項１１】
前記偏心ホイールには前記回転軸と接続するための第１軸穴が設けられ、前記可動コネクティングロッドの中間部には固定軸が設けられ、前記偏心ホイールには該固定軸と接続するための第２軸穴が設けられ、該第２軸穴は前記可動コネクティングロッドに偏心角で固定されている、請求項９に記載の泡発生ディスペンサー。
【請求項１２】
前記感知装置が感知ヘッドと電子制御器とを備え、該感知ヘッドが該電子制御器に電気的に接続され、前記電子制御器が前記電気モータに接続されている、請求項９に記載の泡発生ディスペンサー。
【請求項１３】
前記泡発生器の内部には収容部が設けられ、該収容部の内部には前記空気弁と前記液体弁とに対応する位置にそれぞれ空気導入室と液体導入室とが設けられている、請求項１１に記載の泡発生ディスペンサー。
【請求項１４】
前記収容部には、前記空気導入室に対応する空気導入穴が設けられ、かつ前記収容部には前記液体導入室に対応する液体流入流路が設けられている、請求項１３に記載の泡発生ディスペンサー。
【請求項１５】
発泡材料ボトルと液体導入管とをさらに含み、該液体導入管の一端が該発泡材料ボトルに接続され、かつ該液体導入管の他端が前記液体流入流路に接続されている、請求項１４に記載の泡発生ディスペンサー。
【請求項１６】
送出管及び泡導出装置をさらに備え、該送出管の一端が前記気液混合室に接続され、そして該送出管の他端が該泡導出装置に接続されている、請求項１１に記載の泡発生ディスペンサー。
【請求項１７】
前記泡導出装置が金属メッシュシートとノズルとを備えている、請求項１６に記載の泡発生ディスペンサー。
【請求項１８】
前記泡導出装置の内部には泡を均一に吐出するための複数の貫通穴が設けられている、請求項１７に記載の泡発生ディスペンサー。
【請求項１９】
回転軸を介して偏心ホイールに接続された電気モータであって、センサによって作動可能である電気モータと、
内部に空気を受容するための２つの空気キャビティと、内部に液体を受容するための１つの液体キャビティとを内部に画定する３−キャビティ部と、
前記偏心ホイールと固定的に接続されかつ前記３−キャビティ部にその回転のために固定的に接続されている可動コネクティングロッドと、
気液混合室と、
前記３−キャビティ部の前記空気キャビティに作動可能に結合された２つの空気弁と、前記３−キャビティ部の前記液体キャビティに結合された液体弁とを有する弁部と、
前記空気と液体を前記気液混合室に通過させるための中間弁が設けられた中間部と、を備えている泡発生ディスペンサー。
【請求項２０】
前記気液混合室の出口に取り付けられたノズルであって、複数の貫通穴を含むノズルをさらに備えている、請求項１９に記載の泡発生器。
【考案の詳細な説明】
【技術分野】
【０００１】
本開示は、フォームマシンの技術分野に関し、特にフォームマシンに関する。
【背景技術】
【０００２】
手洗い用の泡を形成するために手で押された後に発泡材料（例えば、石鹸ローション）を曝気させる、手動で起動される石鹸ローション吐出マシンのような、市場で入手可能な多種多様なフォームマシンがある。
【０００３】
発泡ローション石鹸を使用すると、必要とされる石鹸ローションの量を最大４０％まで削減することができ、そして一般的な非発泡ローション石鹸よりも環境にやさしいことを意味する。しかしながら、既存の手動ローション石鹸マシン及び他の類似の衛生器具については、手をマシンまたは装置と接触することなしに泡を発生させることはできない。したがって、公共の場所ではこの既存の手動起動式石鹸ローション泡吐出マシンは交差感染の原因となる。
【０００４】
本開示の目的は、上記の問題または欠陥の少なくともいくつかに対処または改善する石鹸ディスペンサーを提供することである。
【考案の概要】
【０００５】
先行技術の装置で特定されるた問題に鑑みて、本開示は、使用が便利で、センサにより泡の発生及び吐出を引き起こし、そして手をマシンと接触させることによる生じる交差感染を効果的に回避するフォームマシンを提供する。
【０００６】
本開示の一態様では、液体貯蔵ボトル、気液混合ポンプ、センサ、泡ノズル、制御回路基板、及び電源装置を備える泡吐出装置が提供され、該電源装置、該気液混合ポンプ及び該センサは、該制御回路基板にそれぞれ及び電気的に接続され、該泡ノズルは該気液混合ポンプと連通状態で接続され、前記センサは前記泡ノズルの一方の側に配置される。また、前記液体貯蔵ボトルは、管を介して前記気液混合ポンプと連通状態で接続され、該管には、逆止弁が設けられる。
【０００７】
さらに別の態様では、前記気液混合ポンプは、電気モータ、偏心ホイール、可動コネクティングロッド、３−キャビティ軟質ゴム部、弁部及び気液混合室を備え、該可動コネクティングロッドが該偏心ホイールに固定的に接続され、該電気モータの回転軸が前記偏心ホイールに接続され、前記可動コネクティングロッドが前記３−キャビティ軟質ゴム部に接続される。前記３−キャビティ軟質ゴム部は少なくとも２つの空気キャビティと１つに液体キャビティとを備えており、そして前記弁部は前記空気キャビティ及び前記液体キャビティとそれぞれ協働するための空気弁及び液体弁とを備えている。さらに、前記弁部の中央部には、前記気液混合室と協働するための中間弁が設けられている。
【０００８】
選択的に、前記３−キャビティ部には、前記可動コネクティングロッドと協働するための第１クランプピン、第２クランプピン、及び第３クランプピンを設けてもよい。そして、前記可動コネクティングロッドには、前記第１クランプピン、前記第２クランプピン及び前記第３クランプピンと係合するための第１クランプ穴、第２クランプ穴、及び第３クランプ穴が設けられている。
【０００９】
また、前記偏心ホイールには、前記電気モータの回転軸と接続するための第１軸穴を設けてもよい。また、前記可動コネクティングロッドの中央部には、固定軸が設けられ、前記偏心軸には前記固定軸と接続するための第２軸穴が設けられている。
【００１０】
また、前記気液混合ポンプの内部には収容部が設けられ、また該収容部の内部には前記空気弁及び前記液体弁にそれぞれ対応する空気導入キャビティ及び液体導入キャビティが設けられてもよい。
【００１１】
前記収容部には、前記空気導入キャビティに対応する空気導入穴が設けられてもよく、また前記収容部には、前記液体導入キャビティに対応する液体流入流路が設けられる。
【００１２】
前記液体貯蔵ボトルは、ボトル本体とカバー本体とを備えることができ、前記ボトル本体には開口部が設けられ、スナップリングが前記開口部に嵌められ、前記カバー本体には前記スナップリングをクランプするためのクランプブロックが設けられる。また、前記クランプブロックには、前記管が通過するための貫通穴が設けられ、前記管の一端部が前記貫通穴を通って前記ボトル本体内に延在し、前記管の他端部が前記液体流入流路に連通接続される。
【００１３】
さらに、泡発生器を前記泡ノズルと前記気液混合ポンプとの間に設けることができ、該泡発生器は泡導出装置と泡導入装置とを備え、泡導出片は前記泡導入装置と前記泡導出装置との間に設けられ、該泡導出片は間隔をおいて均一に配置された泡導出穴を備えており、前記泡ノズルは嵌合柱を備えており、そして前記嵌合柱は前記泡導出装置の内部に嵌められる。
【００１４】
選択的に、前記嵌合柱には隆起部が設けられ、前記泡出口装置には該隆起部を収容するための溝が設けられ、前記隆起部は前記溝と係合している。
【００１５】
有利には、前記センサは赤外線センサである。
【００１６】
本開示のさらなる態様において、
泡発生器に電気的に接続された検知装置であって、該泡発生器が偏心ホイールに接続された回転軸を有する電気モータを備える、検知装置と、
少なくとも２つの空気キャビティと、液体キャビティとを有する３−キャビティ部と、
前記３−キャビティ部に接続され、前記偏心ホイールに固定的に接続された可動コネクティングロッドと、
気液混合室と、
前記３−キャビティ部の前記空気キャビティ及び前記液体キャビティとそれぞれ協働するための空気弁及び液体弁を有する弁部と、
前記気液混合室と協働するための中間弁が設けられた中間部と、を備える泡発生ディスペンサーが提供される。
【００１７】
選択的に、前記３−キャビティ部には、前記可動コネクティングロッドと協働するための第１クランプピン、第２クランプピン、及び第３クランプピンを設けてもよい。そして、前記可動コネクティングロッドに前記第１クランプピン、前記第２クランプピン及び前記第３クランプピンと係合するための第１クランプ穴、第２クランプ穴及び第３クランプ穴を設けている。
【００１８】
前記偏心ホイールには、前記回転軸と接続するための第１軸穴と、固定軸を備えた前記可動コネクティングロッドの中央部とを設けてもよく、前記偏心ホイールには、該固定軸と接続するための第２軸穴と、前記可動コネクティングロッドに偏心角で固定された前記第２軸穴とを設けている。
【００１９】
選択的に、前記感知装置は感知ヘッドと電子制御器とを備え、該感知ヘッドは該電子制御器に電気的に接続され、前記電子制御器は前記電気モータに接続されている。
【００２０】
有利には、前記泡発生器の内部には収容部が設けられ、該収容部の内部には前記空気弁及び前記液体弁に対応する位置にそれぞれ空気導入キャビティ及び液体導入キャビティが設けられている。
【００２１】
選択的に、前記収容部には前記空気導入キャビティに対応する空気導入穴を設けてもよく、前記収容部には前液体導入キャビティに対応する液体流入流路が設けられている。
【００２２】
発泡材料ボトルと液体導入管はまた、前記液体導入管の一端部が前記発泡材料ボトルに接続され、前記液体導入管の他端部が前記液体流入流路に接続された状態で、含まれてもよい。前記発泡材料ボトルは、送出管及び泡導出装置を有してもよく、該送出管の一端部は前記気液混合室に接続され、前記送出管の他端部は前記泡導出装置に接続されている。
【００２３】
前記泡導出装置は、金属メッシュシート及び泡のオーバフローのためのノズルを備えてもよい。有利には、前記泡導出装置には、そこを通って均一に吐出するための多数の貫通穴が内装されてもよい。
【００２４】
さらに別の態様では、
回転軸を介して偏心ホイールに接続された電気モータであって、センサによって作動可能である電気モータと、
内部に空気を受け入れるための２つのキャビティと、内部に液体を受け入れるための１つのキャビティとを内部に画定する３−キャビティ部と、
前記偏心ホイールとそれの回転のための前記３−キャビティ部に接続された可動コネクティングロッドと、
気液混合室と、
前記３−キャビティ部の前記空気キャビティに作動可能に結合された２つの空気弁と、前記３−キャビティ部の前記液体キャビティに結合された液体弁とを有する弁部と、
前記空気と液体を前記気液混合室に通過させるための中間弁が設けられた中間部と、を備える泡発生ディスペンサーが提供される。
【００２５】
有利には、ノズルを前記気液混合室の出口に取り付けてもよく、前記ノズルはそこを通る複数の穴を備える。
【図面の簡単な説明】
【００２６】
【図１】図１は泡吐出装置の一実施形態の概略構造図である。
【図２】図２は前記泡吐出装置の一実施形態の前記気液混合ポンプの分解構造図である。
【図３】図３は図１に示した前記泡吐出装置の前記実施形態の前記気液混合ポンプの他の視線における分解構造図である。
【図４】図４は図３に示す前記気液混合ポンプの断面図である。
【図５】図５は図１の前記泡吐出装置の前記泡発生器及び前記泡ノズルの分解構造図である。
【図６】図６は図１の前記泡吐出装置の前記液体貯蔵ボトルの分解構成図である。
【図７】図７は図１の前記泡吐出装置の前記液体貯蔵ボトルの別の視線における分解構造図である。
【図８】図８は前記泡発生装置の前記実施形態の概略構造図である。
【図９】図９は図８の前記泡発生装置の前記実施形態の概略構造図である。
【図１０】図１０は図８の前記泡発生装置の前記実施形態の分解構造図である。
【図１１】図１１は図８の前記泡発生装置の前記実施形態の分解構造図である。
【図１２】図１２は図８の前記泡発生装置の前記実施形態の別の視線における分解構造図である。
【図１３】図１３は図８の前記泡発生装置の断面図である。
【００２７】
図１〜図13における参照符号には以下が挙げられる。
【表１−１】
0003224403.tif 000003
【表１−２】
0003224403.tif 000004
【考案を実施するための形態】
【００２８】
当業者の理解を容易にするために、実施形態及び添付の図面と共同して本開示をさらに説明し、実施形態に記載される記載内容は、本開示を限定することを意図しない。図１〜図７に示すように、かつ図８〜図１２に示すさらなる実施形態において、泡吐出装置は液体貯蔵ボトル３１と、気液混合ポンプ３２と、センサー３３と、泡ノズル３４と、制御回路基板３５と、電源装置３６とを備え、該電源装置３６、該気液混合ポンプ３２及び該センサ３３は、該制御回路基板３５とそれぞれ及び電気的に接続されており、前記泡ノズル３４は、前記気液混合ポンプ３２と連通接続され、前記センサ３３は前記泡ノズル３４の片側に配置され、前記液体貯蔵ボトル３１は、管３７を介して前記気液混合ポンプ３２と連通接続されていて、前記管３７には逆止弁３８が設けられている。
【００２９】
具体的には、例えば前記センサ３３が起動されるとき、人間の手が前記センサ３３に接近するときに前記センサ３３が起動され、前記制御回路基板３５によって前記気液混合ポンプ３２が駆動され、空気（前記ポンプの外部の環境から取り入れられる）と前記液体貯蔵ボトル３１内での発泡用の液体が前記気液混合ポンプ３２によって前記気液混合用ポンプ３２内へ導入され混合され、混合されて発泡用の空気と液体が混合されて発泡体を形成して、次いで前記泡ノズル３４から吐出される。前記一方向弁３８は、前記発泡用液体が前記管内を逆流するのを防止するとともに、そこを通る前記液体の移動を容易にするための流路を開く。有利には、本開示の前記泡吐装置は、使用するのに便利であり、センサーによる泡生成及び吐出をトリガして、そして手がマシンと接触することによって引き起こされる交差感染を効果的に回避する。
【００３０】
本実施形態のフォームマシンによれば、前記気液混合ポンプ３２は、電気モータ２と、偏心ホイール３と、可動コネクティングロッド４と、３−キャビティ軟質ゴム部５と、弁部６と、気液混合室７とを備え、該可動コネクティングロッド４は該偏心ホイール３に固定的に接続され、該電気モータ２の回転軸は前記偏心ホイール３に接続され、前記可動コネクティングロッド４は前記３−キャビティ軟質ゴム部５に接続されている。
【００３１】
本明細書で言及された前記軟質ゴム部５はまた、本開示の範囲から逸脱することなく、プラスチック、ビニールなどの他の適切な材料からも有利に製造され得ることを当業者は理解するであろう。
【００３２】
図示のように、前記３−キャビティ軟質ゴム部５には少なくとも２つの空気キャビティ８と１つの小サイズ液体室９が設けられ、そして前記弁部６には前記空気キャビティ８と前記液体キャビティ９とそれぞれ協働するための空気弁１０と液体弁１１が設けられる。また、前記混合弁部６の中間部には、前記気液混合室７と協働するための中間弁１２が設けられている。
【００３３】
具体的には、前記センサ３３がトリガーされると、前記電気モータ２が前記制御回路基板３５によって回転起動されて、これにより前記偏心ホイール３を回転駆動させる。前記偏心ホイール３が前記可動コネクティングロッド４に固定的に接続され、前記可動コネクティングロッド４が前記３−キャビティ軟質ゴム部５に接続されているので、さらに前記可動コネクティングロッド４を駆動させて偏心運動で移動させ、前記３−キャビティ軟質ゴム部５をさらに駆動させて移動させる。
【００３４】
前記３−キャビティ軟質ゴム部５が移動しているときには、前記弁部６の前記空気弁１０または前記液体弁１１が開放駆動され、前記液体貯蔵ボトル３１内の発泡用空気または液体を前記空気キャビティ８または前記液体キャビティ９内に（それぞれ）さらに導入する。これにより、発泡用空気及び液体が前記中間弁１２を介して前記気液混合室７内に流入し、発泡用空気及び液体が混合されて前記気液混合室７内で泡体を形成する。
【００３５】
本実施形態の泡吐出装置によれば、前記３−キャビティ軟質ゴム部５には前記可動コネクティングロッド４と協働するための第１クランプピン１３、第２クランプピン１４、及び第３クランプピン１５が設けられている。前記可動コネクティングロッド４には、それぞれ前記第１クランプピン１３、前記第２クランプピン１４及び前記第３クランプピン１５とそれぞれ係合するための第１クランプ穴１６、第２クランプ穴１７及び第３クランプ穴１８が設けられる。
【００３６】
具体的には、前記第１クランプ穴１６、前記第２クランプ穴１７、及び前記第３クランプ穴１８をそれぞれ前記第１クランプ穴１３、前記第２クランプ穴１４、及び前記第３クランプ穴１５に係合させて前記３−キャビティ軟質ゴム部５を前記可動コネクティングロッドにさらに接続させて、前記３−キャビティ軟質ゴム部５が前記可動コネクティングロッド４の制御によって移動する。
【００３７】
本実施形態の泡吐出装置によれば、前記偏心ホイール３には、前記電気モータ２の回転軸と接続するための第１軸穴１９が設けられている。前記可動コネクティングロッド４の前記中央部には固定軸２０が設けられ、前記偏心ホイール３には該固定軸２０と接続するための第２軸穴２１が設けられている。
【００３８】
具体的には、前記偏心ホイール３は、前記第１軸穴１９を介して前記電気モータ２の回転軸と接続され、前記第２軸穴２１を介して前記可動コネクティングロッド４の前記固定軸２０と接続される。前記第２軸穴が前記可動コネクティングロッド４の前記固定軸２０に接続されるとき偏差角が必要となり、これにより前記偏心軸３が前記固定軸２０と接続される際の前記偏差角により、前記偏心ホイール３が回転するとき、回転中の前記偏心ホイール３が前記可動コネクティングロッド４を駆動させて偏心運動で移動させ、さらに前記３−キャビティ軟質ゴム部５を駆動して移動させる。
【００３９】
本実施形態の泡吐出マシンによれば、前記気液混合ポンプ３２には収容部２４が内装されており、前記収容部２４には前記空気弁１０及び前記液体弁１１にそれぞれ対応する空気導入キャビティ２５と液体導入キャビティ２６が内装されている。具体的には、前記３−キャビティ軟質ゴム部５が移動すると、前記弁部６の前記空気弁１０または前記液体弁１１が開放駆動されて、それにより発泡用空気または液体を最初に前記空気導入キャビティ２５または前記液体導入キャビティ２６内へさらに導入して、次に前記空気キャビティ８または前記液体キャビティ９内へ導入する。
【００４０】
本実施形態のフォームマシンによれば、前記収容部２４には、前記空気導入キャビティ２５に対応する空気導入穴２７が設けられ、前記収容部２４には、前記液体導入キャビティ２６に対応する液体流入流路２８が設けられている。具体的には、空気は前記空気取り入れ穴２７を通って前記空気取り入れ室２５内に流入し、発泡用液体は前記液体流入流路２８を通って前記液体導入キャビティ２６内に流入する。
【００４１】
本実施形態の泡吐出マシンによれば、前記液体貯蔵ボトル３１は、ボトル本体３９とカバー本体４０を備えている。前記ボトル本体３９には開口部４１が設けられ、該開口部４１においてスナップリング４２が嵌められ、前記カバー本体４０には前記スナップリング４２を締め付けるためのクランプブロック４３が設けられている。また、該クランプブロック４３には前記管３７が通過するための貫通穴４４が設けられ、前記管３７の一端部が前記貫通穴４４を通って前記ボトル本体３９内に延出し、前記管３７の他端部が前記液体流入流路２８と連通接続される。（説明を明瞭にするために、図６及び図７から前記管３７は省略されている）。
【００４２】
具体的には、前記クランプブロック４３を前記スナップリング４２と係合させることにより、前記カバー体４０と前記ボトル本体３９の取り外し可能な設置が提供され、発泡用液体を前記ボトル本体３９に導入する必要がある場合、オペレータは前記カバー本体４０を開けて引張ると、それにより前記クランプブロック４３が前記スナップリング４２から外れて、次いで前記開口部４１を通って発泡用液体が加えられる。前記クランプブロック４３を前記スナップリング４２に係合させることによって、前記開口部４１が前記カバー体４０によって覆われて、前記管３７が前記貫通穴４４を通って前記ボトル内を通過して進入することができ、それにより前記液体貯蔵ボトル３１内の発泡用液体を前記気液混合ポンプ３２で使用することができる。
【００４３】
本実施形態の泡吐出マシンによれば、泡発生器４５が前記泡ノズル３４と前記気液混合ポンプ３２との間に設置され、前記泡発生器４５が泡導出装置４６及び泡導入装置４７とを備え、泡導出片４８が前記泡導入装置４７と前記泡導出装置４６との間に設けられ、前記泡導出片４８には間隔をおいて一様に配置された泡導出穴４９を設けて、前記泡ノズル３４には嵌合柱５０を設けて、該嵌合柱５０が前記泡導出装置４６の内部に嵌められる。具体的には、前記気液混合ポンプ３２からの泡は前記泡発生器４５の前記泡導入装置４７に入り、次いで、前記泡導出片４８を通過してかつ前記泡導出装置４６に入る。前記泡は前記泡ノズル３４から吐出され、前記泡が前記泡ノズル３４からより均一に吐出されることができるように前記泡導出穴４９及び前記泡導出片４８の網目を通過する。
【００４４】
本実施形態の泡吐出マシンによれば、メッシュ付き前記嵌合柱５０には突起５１が設けられ、また前記泡導出装置４６には該突起５１を収容するための溝５２が設けられ、前記突起５１が前記溝５２と係合している。具体的には、前記突起５１を前記溝５２と係合させることによって、前記泡ノズル３４が前記泡導出装置４６の内側に正確に嵌められ、高い設置精度を確保することができる。
【００４５】
本実施形態の泡吐出マシンによれば、前記センサ３３は赤外線センサである。
【００４６】
図８〜図１２に示す前記実施形態を参照すると、泡発生装置が示され、該泡発生装置は、感知装置と、センサに電気的に接続された偏心駆動式泡発生器１０１とを備え、該偏心駆動式泡発生器１０１は電気モータ１０２と、偏心ホイール１０３と、可動コネクティングロッド１０４と、３−キャビティ部１０５と、弁部１０６と、気液混合室１０７とを備え、該可動コネクティングロッド１０４は前記偏心ホイール１０３に固定的に接続され、前記電気モータ１０２の回転軸が前記偏心ホイール１０３に接続され、そして前記可動コネクティングロッド１０４が前記３−キャビティ軟質ゴム部１０５に接続されている。前記３−キャビティ軟質ゴム部５には少なくとも２つの空気キャビティ１０８と１つの液体室１０９が設けられており、前記弁部１０６には前記空気キャビティ１０８と前記液体キャビティ１０９とをそれぞれ協働させるための空気弁１１０と液体弁１１１とが設けられている。また、前記弁部１０６の中央部には前記気液混合室１０７と協働するための中間弁１１２が設けられている。具体的には、前記感知装置がトリガーされると、例えば、人の手が前記感知装置に接近すると、前記感知装置がトリガーされて電源が投入され、前記電気モータ１０２が回転起動され、よって前記偏心ホイール１０３を回転駆動させる。前記偏心ホイール１０３が前記可動コネクティングロッド１０４に固定接続されるので、前記可動コネクティングロッド１０４が前記３−キャビティ軟質ゴム部１０５に接続され、さらに前記可動コネクティングロッド１０４を駆動して偏心運動で移動させ、さらに前記３−キャビティ軟質ゴム部１０５を駆動して移動させ、そして前記３−キャビティ軟質ゴム部１０５が移動しつつあるとき、前記弁部１０６の前記空気弁１１０または前記液体弁１１１が開放駆動されて、さらに発泡用空気または液体を前記空気キャビティ１０８または前記液体キャビティ１０９の中に導入させて、それにより発泡用空気または液体が前記中間弁１１２を介して前記気液混合室１０７内に流入して発泡用空気または液体が混合されて前記気液混合室１０７内で泡を形成する。
【００４７】
この実施形態によれば、前記３−キャビティ部１１５には前記可動コネクティングロッド１０４と協働するための第１クランプピン１１３、第２クランプピン１１４及び第３クランプピン１１５が設けられている。前記可動コネクティングロッド１０４には前記第１クランプピン１１３、前記第２クランプピン１１４、及び前記第３クランプピン１１５とそれぞれ係合するための第１クランプ穴１１６、第２クランプ穴１１７、及び第３クランプ穴１１８が設けられている。具体的には、前記第１クランプ穴１１６、前記第２クランプ穴１１７、及び前記第３クランプ穴１１８を前記第１クランプピン１３、前記第２クランプピン１１４、前記第３クランプピン１１５とそれぞれ係合させることによって、さらに前記３−キャビティ軟質ゴム部１０５を前記可動コネクティングロッドと接続させると、前記可動コネクティングロッド４が移動しているとき、前記３−キャビティ軟質ゴム部１０５が前記可動コネクティングロッド１０４と共に移動する。
【００４８】
この実施形態によれば、前記偏心ホイール１０３には前記回転軸と接続するための第１軸穴１１９を設けている。前記可動コネクティングロッド１０４の中央部には固定軸１２０が設けられ、前記偏心軸１０３には前記固定軸１２０と接続するための第２軸穴１２１が設けられている。具体的には、前記偏心ホイール１０３が前記第１軸穴１１９を介して前記電気モータ１０２の回転軸と接続され、かつ前記第２軸穴１２１を介して前記可動コネクティングロッド１０４の前記固定軸１２０に接続されている。前記第２軸穴を前記可動コネクティングロッド１０４の前記固定軸１２０に接続する際には偏心角が必要となる、それにより前記偏心ホイール１０３が回転すると、前記偏心軸１０３を前記固定軸１２０に接続する際の前記偏差角に起因して、回転中の前記偏心ホイール１０３が前記可動コネクティングロッド１０４を駆動させて偏心運動で移動させ、さらに前記３−キャビティ部１０５を駆動させ移動させる。
【００４９】
この実施形態によれば、前記感知装置は、感知ヘッド１２２及び電子制御器１２３を備え、該感知ヘッド１２２は該電子制御器１２３に電気的に接続され、前記電子制御器１２３は前記電気モータ１０２に電気的に接続される。具体的には、前記感知ヘッド１２２は赤外線または他の誘導感知ヘッド１２２であってもよく、人間の手が前記感知ヘッド１２２に近づくと、前記電子制御器１２３はトリガーされて電源オンになり、次いで前記偏心ホイール１０３を回転駆動するように前記電気モータ１０２が前記電子制御器１２３によってトリガーされる。
【００５０】
この実施形態によれば、前記偏心駆動型泡発生器１０１には収容部１２４が内装され、かつ該収容部１２４には前記空気弁１１０及び前記液体弁１１１にそれぞれ対応する空気導入キャビティ１２５及び液体導入キャビティ１２６が内装されている。具体的には、前記３−キャビティ部１０５が移動すると、前記弁部１０６の前空気弁１１０または前記液体弁１１１が開放駆動されて、それにより最初に発泡用空気または液体を前記空気導入キャビティ１２５または前記液体導入キャビティ１２６内にさらに導入させ、次に前記空気キャビティ１０８または前記液体キャビティ１０９内に導入させる。
【００５１】
この実施形態によれば、前記収容部１２４には前記空気導入キャビティ１２５に対応する空気導入穴１２７が設けられ、かつ前記収容部１２４には前記液体導入キャビティ１２６に対応する液体導入流路１２８が設けられている。具体的には、空気が前記空気取り入れ穴１２７を通って前記空気取り入れ室１２５に流入し、そして発泡用液体が前記液体流入流路１２８を通って前記液体導入キャビティ１２６に流入する。
【００５２】
有利には、この実施形態は、発泡材料ボトル１２９と液体導入管１３０とをさらに備え、該液体導入管１３０の一端部は該発泡材料ボトル１２９に接続され、前記液体導入管１３０の他端部は前記液体流入流路１２８に接続されている。具体的には、前記３−キャビティ部１０５が移動しているときには、前記液体キャビティ１１１が開かれ、かつ前記発泡材料ボトル１２９内の液体が前記液体導入管１３０を通って前記液体導入キャビティ１２６に流入する。
【００５３】
送出管１３１及び泡導出装置１３２はまた、該送出管１３１の一端部が前記気液混合室１０７に接続され、前記送出管１３１の他端部が前記泡導出装置１３２に接続されている状態で含まれていてもよい。具体的には、前記気液混合室１０７内の泡は、前記送出管１３１を介して前記泡導出装置１３２に送出される。
【００５４】
前記泡導出装置１３２は、泡のオーバーフローのための金属メッシュシート１３３とノズル１３４とを内装している。具体的には、前記金属メッシュシート１３３に微細なメッシュ穴が均一に設けられており、泡が前記金属メッシュシート１３３を通過するのでその泡が前記ノズル１３４からより均一に溢れる。
【００５５】
また、前記泡導出装置には内部に多数の貫通穴１３５が設けられている。具体的には、前記発泡材料の流動は前記貫通穴１３５の作用により促進される。
【００５６】
本開示の前記泡吐出装置は、以下の有益な効果を有する。例えば、前記センサがトリガーされると、人間の手が前記センサに近づくと前記センサがトリガーされ、前記気液混合ポンプが前記制御回路基板によって起動される。そして、前記液体貯蔵ボトル内の発泡用空気及び液体が前記気液混合ポンプにより前記気液混合ポンプ内部に導入され混合されて、発泡用空気及び液体が混合されて泡を形成して、次に前記泡ノズルから吐出される。前記発泡装置は、使用するのに便利であり、センサによる泡生成及び吐出をトリガーして、そして手がマシンと接触することによって引き起こされる交差感染を効果的に回避する。さらに、前記泡ディスペンサーはコンパクトであり、そこから泡を製造するために空気及び液体を導入するために一般的なポンプを使用するのが有利である。
【００５７】
以上の記載は、単に本開示の好ましい実施形態であり、決して本開示を限定することを意図するものではない。本開示は好ましい実施形態を参照して上記のように開示されてきたが、それらは本開示を限定することを意図するものではない。当業者であれば、上記の技術的内容を利用して、本開示の技術的解決策の範囲から逸脱することなく、同等の変形形態と見なすことができる変更または修正を加えた同等の実施形態を作成することができる。本開示の技術的解決策の内容から逸脱することなく、本開示の技術的解決の内容に従った上記実施形態に対する任意の単純な修正、等価の変形及び修正は、依然として範囲内である。
【図１】
0003224403.tif 000005
【図２】
0003224403.tif 000006
【図３】
0003224403.tif 000007
【図４】
0003224403.tif 000008
【図５】
0003224403.tif 000009
【図６】
0003224403.tif 000010
【図７】
0003224403.tif 000011
【図８】
0003224403.tif 000012
【図９】
0003224403.tif 000013
【図１０】
0003224403.tif 000014
【図１１】
0003224403.tif 000015
【図１２】
0003224403.tif 000016
【図１３】
0003224403.tif 000017
【手続補正書】
【提出日】令和1年10月23日(2019.10.23)
【手続補正１】
【補正対象書類名】実用新案登録請求の範囲
【補正対象項目名】請求項１２
【補正方法】変更
【補正の内容】
【請求項１２】
前記検知装置が感知ヘッドと電子制御器とを備え、該感知ヘッドが該電子制御器に電気的に接続され、前記電子制御器が前記電気モータに接続されている、請求項９に記載の泡発生ディスペンサー。